(57)【要約】【課題】雄端子の斜め挿入による弾性接触片の過度撓みを規制して低挿入力化する。【解決手段】本発明は、タブ状をなす雄端子４０に接続される雌端子１０であって、前後方向に開口して雄端子４０が内部に挿入される角筒部２０と、角筒部２０の内部において撓み可能に設けられ、接点部２４Ａを頂点とする弾性接触片２４と、角筒部２０の内壁のうち弾性接触片２４と対向する天面２５に設けられ、接点部２４Ａとの間で雄端子４０を弾性的に挟持する受け部２５Ａと、天面２５において受け部２５Ａの前側に連なる前側傾斜面２５Ｂと、同後側に連なる後側傾斜面２５Ｃとを備え、受け部２５Ａは、前後方向において接点部２４Ａが位置する領域Ｒ１の範囲内に形成されている構成としたところに特徴を有する。【選択図】図７
2011238372.tif 000002
【特許請求の範囲】
【請求項１】
タブ状をなす雄端子に接続される雌端子であって、
前後方向に開口して前記雄端子が内部に挿入される角筒部と、
前記角筒部の内部において撓み可能に設けられ、接点部を頂点とする弾性接触片と、
前記角筒部の内壁のうち前記弾性接触片と対向する天面に設けられ、前記接点部との間で前記雄端子を弾性的に挟持する受け部と、
前記天面において前記受け部の前側に連なる前側傾斜面と、
同後側に連なる後側傾斜面とを備え、
前記受け部は、前記前後方向において前記接点部が位置する領域の範囲内に形成されていることを特徴とする雌端子。
【請求項２】
前記受け部は、平面状をなす前記前側傾斜面をその平面方向に沿って後方に延設した場合における延長傾斜面よりも前記天面側に設けられていることを特徴とする請求項１に記載の雌端子。
【請求項３】
前記受け部は、円弧状をなしていることを特徴とする請求項１または請求項２に記載の雌端子。
【請求項４】
前記受け部は、平面状をなしていることを特徴とする請求項１または請求項２に記載の雌端子。
【請求項５】
前記傾斜面は、複数の斜面からなることを特徴とする請求項１ないし請求項４のいずれか一項に記載の雌端子。
【請求項６】
前記弾性接触片の自由端部は、前記角筒部の内壁に設けられた座面に接触していることを特徴とする請求項１ないし請求項５のいずれか一項に記載の雌端子。
【発明の詳細な説明】
【技術分野】
【０００１】
本発明は、タブ状をなす雄端子に接続される雌端子に関する。
【背景技術】
【０００２】
この種の雌端子として、例えば下記特許文献１に記載のものが知られている。この雌端子は角筒部を有し、この角筒部の内部には、撓み可能な弾性接触片が収容されている。この弾性接触片は、接点部を頂点とする三角形状をなしている。一方、角筒部の内壁のうち弾性接触片と対向する天面には、受け部が前後方向に延出して形成されている。この受け部の前端は、接点部よりも前方に配置され、受け部の後端は、接点部よりも後方に配置されている。
【先行技術文献】
【特許文献】
【０００３】
【特許文献１】特開２００２−２４６０９４号公報
【発明の概要】
【発明が解決しようとする課題】
【０００４】
しかしながら、上記の構成では、図１０に示すように、雄端子１が雌端子２の角筒部３に対して先端が下向きとなる斜め姿勢で挿入された場合に、接点部５の前方に配置された受け部４の前端部４Ａを支点として雄端子１の先端が下向きとなる斜め姿勢をとるため、接点部５を過度に下方に撓ませてしまうことになる。このため、弾性接触片６の撓み変位量が増えて挿入力が増加してしまう。また、図示はしないものの、雄端子１が雌端子２の角筒部３に対して先端が上向きとなる斜め姿勢で挿入された場合に、接点部５の後方に配置された受け部４の後端部４Ｂを支点として雄端子１の先端が上向きとなる斜め姿勢をとるため、上向きの場合と同様に、接点部５を過度に下方に撓ませ、挿入力が増加することになる。
【０００５】
本発明は上記のような事情に基づいて完成されたものであって、雄端子の斜め挿入による弾性接触片の過度撓みを規制して低挿入力化することを目的とする。
【課題を解決するための手段】
【０００６】
本発明は、タブ状をなす雄端子に接続される雌端子であって、前後方向に開口して雄端子が内部に挿入される角筒部と、角筒部の内部において撓み可能に設けられ、接点部を頂点とする弾性接触片と、角筒部の内壁のうち弾性接触片と対向する天面に設けられ、接点部との間で雄端子を弾性的に挟持する受け部と、天面において受け部の前側に連なる前側傾斜面と、同後側に連なる後側傾斜面とを備え、受け部は、前後方向において接点部が位置する領域の範囲内に形成されている構成としたところに特徴を有する。
【０００７】
このような構成によると、雄端子が雌端子の角筒部に対して先端が下向きとなる斜め姿勢で挿入された場合、雄端子が受け部の前側傾斜面に沿って挿入され、接点部と受け部とに摺接することになる。すなわち、前後方向において接点部が位置する領域の範囲内に受け部を形成したから、接点部よりも前方領域で雄端子が受け部と干渉することはなく、弾性接触片の過度撓みを規制して低挿入力化を図ることができる。また、雄端子が雌端子の角筒部に対して先端が上向きとなる斜め姿勢で挿入された場合も同様に、雄端子が受け部の後側傾斜面に沿って挿入されるため、弾性接触片の過度撓みを規制して低挿入力化を図ることができる。
【０００８】
本発明の実施の態様として、以下の構成が好ましい。
受け部は、平面状をなす前側傾斜面をその平面方向に沿って後方に延設した場合における延長傾斜面よりも天面側に設けられている構成としてもよい。
【０００９】
受け部が延長傾斜面よりも接点部側に突出して設けられている場合、受け部と前側傾斜面との間に段差が形成されるため、雄端子を受け部の前側傾斜面に沿って挿入した場合に雄端子の先端が段差で引っ掛かるおそれがある。その点、上記の構成によると、受け部と前側傾斜面との間に段差が形成されないため、雄端子が受け部に引っ掛かることはなく、より低挿入力化を図ることができる。
【００１０】
受け部は、円弧状をなしている構成としてもよい。このような構成によると、雄端子を受け部に対して点接触させることができ、受け部に対する接圧を高めることができる。
【００１１】
受け部は、平面状をなしている構成としてもよい。このような構成によると、雄端子を受け部に対して面接触させることができ、受け部に対する接触面積を稼ぐことができる。
【００１２】
傾斜面は、複数の斜面からなる構成としてもよい。このような構成によると、雄端子を角筒部の内部に斜め姿勢で挿入した場合に、雄端子が複数の斜面に摺接しながら正規の姿勢に案内されるため、より円滑に雄端子を挿入することが可能になる。
【００１３】
弾性接触片の自由端部は、角筒部の内壁に設けられた座面に接触している構成としてもよい。このような構成によると、弾性接触片が基端部と自由端部の二点で支持されるため、基端部のみで支持する場合よりも雄端子に対する接圧を確保することができる。
【発明の効果】
【００１４】
本発明によれば、雄端子の斜め挿入による弾性接触片の過度撓みを規制して低挿入力化することができる。
【図面の簡単な説明】
【００１５】
【図１】実施形態１における雌端子の角筒部に対して正規の姿勢で雄端子が挿入される前の状態を示した一部切り欠き断面図
【図２】図１の状態の後、雄端子が角筒部に挿入された後の状態を示した断面図
【図３】雌端子の角筒部に対して先端が下向きとなる斜め姿勢で雄端子が挿入される前の状態を示した一部切り欠き断面図
【図４】図３の状態の後、雄端子が角筒部に挿入された後の状態を示した断面図
【図５】雌端子の角筒部に対して先端が上向きとなる斜め姿勢で雄端子が挿入される前の状態を示した一部切り欠き断面図
【図６】図５の状態の後、雄端子が角筒部に挿入された後の状態を示した断面図
【図７】図１における雌端子の角筒部を拡大して示した拡大断面図
【図８】実施形態２における雌端子の角筒部を拡大して示した拡大断面図
【図９】実施形態３における雌端子の角筒部を拡大して示した拡大断面図
【図１０】従来における雌端子の角筒部に対して先端が下向きとなる斜め姿勢で雄端子が挿入された後の状態を示した断面図
【発明を実施するための形態】
【００１６】
＜実施形態１＞
本発明の実施形態１を図１ないし図７の図面を参照しながら説明する。本実施形態における雌端子１０は、図１に示すように、前後方向に開口し角筒状をなす角筒部２０と、この角筒部２０の後方に形成されたバレル部３０とを備えて構成されている。バレル部３０は、電線（図示せず）の端末部にて被覆（図示せず）を皮剥きすることで露出された芯線（図示せず）をかしめて圧着するワイヤーバレル部３１と、被覆をかしめて圧着するインシュレーションバレル部３２とからなる。両バレル部３１，３２は、いずれも角筒部２０の底面部２１から後方に連なる底壁３３の両側縁から対向状態で立ち上がる一対のバレル片を備えている。一方、雄端子４０はタブ状をなし、角筒部２０の前端開口から内部に挿入可能とされている。
【００１７】
角筒部２０は、底面部２１と、この底面部２１の両側縁から対向状態で立ち上がる一対の側面部２２と、底面部２１と対向する位置に設けられ二枚重ねで積層された上下一対の天面部２３とを備えている。両天面部２３のうち上側の天面部２３には、ランス係止部２３Ａが上方に叩き出されている。このランス係止部２３Ａの前面は、上側の天面部２３の上面に対して略直角をなして上方に突出している。このため、雌端子１０を収容するキャビティ（図示せず）の内壁に形成されたランス（図示せず）がランス係止部２３Ａの前面に係止することで雌端子１０がキャビティに対して抜け止め状態に保持される。
【００１８】
底面部２１には、開口２１Ｄが設けられており、この開口２１Ｄの両側縁に、一対のスタビライザ２１Ｃが対向状態で下方に延出されている。一方、キャビティの内壁には、スタビライザ２１Ｃが進入する案内溝（図示せず）が前後方向に延出して形成されている。このため、雌端子１０をキャビティに挿入する際に、両スタビライザ２１Ｃが両案内溝に沿って移動し、雌端子１０のキャビティへの挿入動作が案内される。
【００１９】
角筒部２０の内部には、詳細には図７に示すように、底面部２１の前縁２１Ａから後方に折り返されることで形成された弾性接触片２４が収容されている。この弾性接触片２４は、角筒部２０のほぼ全長に亘る長さを有しており、前後方向に延びる形態とされている。また、弾性接触片２４は、エンボス状をなして上方に突出する接点部２４Ａを有しており、この接点部２４Ａを頂点（上端）とする三角形状をなしている。なお、接点部２４Ａの上面には、金めっきなどのめっき処理が施されている。
【００２０】
弾性接触片２４における接点部２４Ａの前後両側には、底面部２１に向けて下り勾配をなす前後一対の傾斜面２４Ｂが形成されている。接点部２４Ａの後側に連なる傾斜面２４Ｂは、同前側に連なる傾斜面２４Ｂよりも長めとされている。接点部２４Ａの後側に連なる傾斜面２４Ｂの後端は、底面部２１を上方に叩き出して形成された座面２１Ｂに接触している。すなわち、弾性接触片２４は、基端部（前端部）と自由端部（後端部）の二点で支持されている。このため、雄端子１０が角筒部２０の内部に挿入されると、接点部２４Ａが雄端子１０に対して弾性的に接触し、このとき雄端子１０に対する十分な接圧を確保することができる。
【００２１】
側面部２２における弾性接触片２４の下方には、前後一対の過度撓み規制片２２Ａが形成されている。前側の過度撓み規制片２２Ａは、底面部２１の前縁２１Ａと開口２１Ｄとの中間付近に配置されている。一方、後側の過度撓み規制片２２Ａは、接点部２４Ａの下方であって、前側の過度撓み規制片２２Ａよりもやや上方に配置されている。
【００２２】
下側の天面部２３の下面（角筒部２０の内壁のうち弾性接触片２４と上下方向に対向する面のことであり、以下「天面」という）２５には、接点部２４Ａに対する受け部２５Ａが形成されている。天面２５は、受け部２５Ａを頂点（下端）とする逆三角形状をなしている。すなわち、天面２５は、受け部２５Ａと、この受け部２５Ａの前側に連なる前側傾斜面２５Ｂと、同後側に連なる後側傾斜面２５Ｃとを備えて構成されている。両傾斜面２５Ｂ，２５Ｃの傾斜角度は、ほぼ同じとされている。好ましくは、両傾斜面２５Ｂ，２５Ｃの水平面（前後方向に延びる平面）に対する傾斜角度は、３°である。また、後側傾斜面２５Ｃの前後方向における長さは、前側傾斜面２５Ｂよりも短めとされている。
【００２３】
前側傾斜面２５Ｂは、受け部２５Ａから角筒部２０の前端開口にかけての範囲に形成されており、前側に向かうほど上方に向かう平面状の傾斜面とされている。一方、後側傾斜面２５Ｃは、受け部２５Ａと、この受け部２５Ａと角筒部２０の後端開口との略中央部との間に形成されている。天面２５において後側傾斜面２５Ｂの後側に連なる面は、水平面２５Ｄとされている。また、後側傾斜面２５Ｃは、後側に向かうほど上方に向かう平面状の傾斜面とされている。
【００２４】
さて、受け部２５Ａは、前後方向において接点部２４Ａが位置する領域Ｒ１の範囲内に形成されている。特に本実施形態では、接点部２４Ａが叩き出しによるエンボス形状に形成されているのに対して、受け部２５Ａは、天面２５を曲げ加工することで形成された円弧面として形成されている。また、受け部２５Ａは、前側傾斜面２５Ｂをその平面方向に沿って後方に延設した場合における延長傾斜面Ｆ１よりも天面２５側に設けられている。これは、受け部２５Ａと前側傾斜面２５Ｂとの間に、接点部２４Ａ側に突出する段差が形成されないことを意味している。
【００２５】
本実施形態は以上のような構成であって、続いてその作用を説明する。まず、雄端子４０が正規の姿勢で角筒部２０の内部に挿入された場合について図１および図２の図面を参照しながら説明する。雄端子４０は、角筒部２０の前端開口から内部に進入し、弾性接触片２４を下方に撓ませつつ接点部２４Ａと受け部２５Ａとの間に割って入り、これらの間で弾性的に挟持される。このとき、受け部２５Ａが雄端子４０に対して点接触するため、雄端子４０に対する接圧を高めることができる。また、弾性接触片２４は、基端部と自由端部の二点で支持されるため、接点部２４Ａを介して雄端子４０に十分な接圧を与えることができる。これにより、雄端子４０と雌端子１０が導通可能に接続される。
【００２６】
次に、雄端子４０の先端が下を向いた下向き姿勢で雄端子４０を角筒部２０の内部に斜め挿入した場合について図３および図４の図面を参照しながら説明する。なお、図面においては、雄端子４０を水平面に対して時計回り方向に２°傾けた場合を例示している。雄端子４０を角筒部２０の内部に斜め挿入していくと、雄端子４０が前側傾斜面２５Ｂに沿った姿勢となる。ここで、受け部２５Ａが延長傾斜面Ｆ１よりも天面２５側に形成したから、雄端子４０を接点部２４Ａと受け部２５Ａとの間に円滑に挿入することができる。
【００２７】
また、雄端子４０は下向き姿勢となっているものの、前側傾斜面２５Ｂとの干渉が回避されているため、正規姿勢の場合と同様に、接点部２４Ａと受け部２５Ａに摺接しながら角筒部２０の内部に挿入される。つまり、弾性接触片２４の過度撓みを規制可能であり、雄端子４０と接点部２４Ａとの間で発生する摩擦力および雄端子４０と受け部２５Ａとの間で発生する摩擦力を増加させないため、雄端子４０の低挿入力化を図ることができる。
【００２８】
その後、雄端子４０の先端は、弾性接触片２４の後側の傾斜面２４Ｂに沿って進入する。この間、雄端子４０は、天面２５の前側傾斜面２５Ｂと弾性接触片２４の後側の傾斜面２４Ｂとに干渉しないため、やはり弾性接触片２４の下方への過度撓みが規制され、雄端子４０の低挿入力化が図られる。
【００２９】
次に、雄端子４０の先端が上を向いた上向き姿勢で雄端子４０が角筒部２０の内部に挿入された場合について図５および図６の図面を参照しながら説明する。なお、図面においては、雄端子４０を水平面に対して反時計回り方向に２°傾けた場合を例示している。雄端子４０を角筒部２０の内部に斜め挿入していくと、雄端子４０が弾性接触片２４の前側の傾斜面２４Ｂに沿った姿勢となる。
【００３０】
雄端子４０をさらに挿入していくと、弾性接触片２４を下方に撓ませて、雄端子４０が接点部２４Ａと受け部２５Ａとの間に割って入る。引き続き、雄端子４０を挿入していくと、雄端子４０が接点部２４Ａと受け部２５Ａとに摺接しつつ、雄端子４０が天面２５の後側傾斜面２５Ｃに沿った姿勢となる。この間、雄端子４０は、弾性接触片２４の前側の傾斜面２４Ｂと天面２５の後側傾斜面２５Ｃとに干渉しないため、弾性接触片２４の下方への過度撓みが規制され、雄端子４０の低挿入力化が図られる。
【００３１】
以上のように本実施形態では受け部２５Ａの前後両側に一対の傾斜面２５Ｂ，２５Ｃを形成するとともに、前後方向において接点部２４Ａが位置する領域Ｒ１の範囲内に受け部２５Ａを形成したから、雄端子４０と両傾斜面２５Ｂ，２５Ｃとの干渉を回避できる。この結果、弾性接触片２４の過度撓みを規制し、雄端子４０の低挿入力化を図ることができる。また、受け部２５Ａを延長傾斜面Ｆ１よりも天面２５側に形成したから、雄端子４０を下向き姿勢で斜め挿入した場合に、雄端子４０を接点部２４Ａと受け部２５Ａとの間に円滑に挿入することができる。
【００３２】
＜実施形態２＞
次に、本発明の実施形態２を図８の図面を参照しながら説明する。本実施形態の雌端子５０は、実施形態１の雌端子１０の受け部２５Ａの構成を変更したものであって、その他の共通する構成、作用、および効果については重複するため、その説明を省略する。また、実施形態１と同じ構成については同一の符号を用いるものとする。
【００３３】
本実施形態における天面５１の受け部５１Ａは、平面状をなしている。前後方向において受け部５１Ａが位置する領域Ｒ２は、接点部２４Ａが位置する領域Ｒ１の範囲内に形成されている。また、領域Ｒ２の前後方向の長さは、天面部２３の板厚の２倍以下に設定されている。このような構成によると、雄端子４０を角筒部２０の内部に斜め挿入した場合に、雄端子４０と受け部５１Ａが摺接しないため、より低挿入力化を図ることができる。また、雄端子４０が正規の姿勢にあるときに、雄端子４０と受け部５１Ａとの接触面積を稼ぐことができる。
【００３４】
＜実施形態３＞
次に、本発明の実施形態３を図９の図面を参照しながら説明する。本実施形態の雌端子６０は、実施形態１の雌端子１０の天面２５および弾性接触片２４の構成を変更したものであって、その他の共通する構成、作用、および効果については重複するため、その説明を省略する。また、実施形態１と同じ構成については同一の符号を用いるものとする。
【００３５】
本実施形態における天面６１は、前側から順に、第１前側斜面６１Ａ、第２前側斜面６１Ｂ、受け部６１Ｃ、第１後側斜面６１Ｄ、第２後側斜面６１Ｅ、水平面６１Ｆからなる。本発明でいう前側傾斜面は、第１前側斜面６１Ａと第２前側斜面からなり、本発明でいう後側傾斜面は、第１後側斜面６１Ｄと第２後側斜面６１Ｅからなる。
【００３６】
第１前側斜面６１Ａは、第２前側斜面６１Ｂよりも傾斜角度が急とされ、第２後側斜面６１Ｅは、第１後側斜面６１Ｄよりも傾斜角度が急とされている。また、第１前側斜面６１Ａの傾斜角度と第２後側斜面６１Ｅの傾斜角度はほぼ同じとされ、第２前側斜面６１Ｂの傾斜角度と第１後側斜面６１Ｄの傾斜角度はほぼ同じとされている。このように複数の斜面６１Ａ，６１Ｂ，６１Ｄ，６１Ｅによって傾斜面を構成しているから、斜め挿入された雄端子４０を各斜面６１Ａ，６１Ｂ，６１Ｄ，６１Ｅによって正規の姿勢に案内しやすくなる。
【００３７】
また、受け部６１Ｃは、実施形態１の受け部２５Ａよりも前方に配置されており、受け部６１Ｃの下方に位置する弾性接触片６２の接点部６２Ａについても、実施形態１の接点部２４Ａよりも前方に配置されている。このため、雄端子４０の挿入初期に雄端子４０を接点部６２Ａと受け部６１Ｃとの間で挟持することができる。さらに、弾性接触片６２の接点部６２Ａは、実施形態１の接点部２４Ａとは異なり、曲げ形成によって形成されているため、叩き出し加工をしなくてもよい。
【００３８】
＜他の実施形態＞
本発明は上記記述及び図面によって説明した実施形態に限定されるものではなく、例えば次のような実施形態も本発明の技術的範囲に含まれる。
（１）上記実施形態では受け部が円弧状もしくは平面状とされているものの、本発明によると、受け部の形状はこれらに限定されず、例えば三角形状、台形状などでもよい。
（２）上記実施形態では受け部が延長傾斜面よりも天面側に設けられているものの、本発明によると、受け部が延長傾斜面よりも接点部側に突出しているものでもよい。
【００３９】
（３）上記実施形態では弾性接触片の自由端部が座面に接触しているものの、本発明によると、弾性接触片の自由端部が座面に非接触のものでもよい。
（４）上記実施形態では弾性接触片が底面部の前縁から後方に折り返されているものの、本発明によると、例えば弾性接触片を天面の後縁から前方に折り返して形成してもよい。
（５）上記実施形態では接点部を頂点とする断面視略三角形状の弾性接触片とされているものの、本発明によると、接点部を頂点とする断面視略円弧状の弾性接触片としてもよい。
【符号の説明】
【００４０】
１０，５０，６０…雌端子
２０…角筒部
２４，６２…弾性接触片
２４Ａ，６２Ａ…接点部
２５，５１，６１…天面
２５Ａ，５１Ａ，６１Ｃ…受け部
２５Ｂ…前側傾斜面
２５Ｃ…後側傾斜面
４０…雄端子
６１Ａ，６１Ｂ…前側斜面
６１Ｄ，６１Ｅ…後側斜面
Ｆ１…延長傾斜面
Ｒ１，Ｒ２…前後方向において接点部が位置する領域
【図１】
2011238372.tif 000003
【図２】
2011238372.tif 000004
【図３】
2011238372.tif 000005
【図４】
2011238372.tif 000006
【図５】
2011238372.tif 000007
【図６】
2011238372.tif 000008
【図７】
2011238372.tif 000009
【図８】
2011238372.tif 000010
【図９】
2011238372.tif 000011
【図１０】
2011238372.tif 000012